(57)【要約】【課題】  従来使用されている装飾品の材料は、重さがあり、光沢を失い、落とすと壊れたり、保管にも配慮が必要であった。本発明は、このような装飾品の問題点を解消するため、従来の材料を用いることなく、独創的な自由な形状、自由な大きさを構成することができ、軽くて落ちても壊れない装飾品を作るための発明を課題とした。【解決手段】  これまで装飾品の材料には使用されたことのない、膨らまさないそのままの細長いゴム風船で形成した、従来にない装飾品を提供することとした。【選択図】図１
2017185169.tif 000002
【特許請求の範囲】
【請求項１】
膨らまさない細長いゴム風船の一端を中心として、渦状形状にした渦巻体と、該渦巻体に取り付けられた着脱手段とを有する装飾品。
【請求項２】
複数の前記渦巻体を有し、複数の前記渦巻体を結合させて構成した請求項１記載の装飾品。
【請求項３】
複数の前記渦巻体は、直径が異なる該渦巻体を有する請求項２に記載の装飾品。
【請求項４】
複数の前記渦巻体は、前記細長いゴム風船の幅が異なる渦巻体を含む請求項２または請求項３記載の装飾品。
【発明の詳細な説明】
【技術分野】
【０００１】  本発明は、装飾品に関するものである。
【背景技術】
【０００２】  従来、風船は空気を入れて装飾風船として用いられている（例えば、特許文献１参照。）。
【先行技術文献】
【特許文献】
【０００３】
【特許文献１】  特開２０００−３５６９６５号公報
【発明の概要】
【発明が解決しようとする課題】
【０００４】  従来の装飾風船は、空気を入れて作品を形成することに広く用いられている。そのため、体積が大きくなり、割れることがある。【０００５】  また、従来使用されている装飾品の材料は、重さがあり、光沢を失い、落とすと壊れたり、保管にも配慮が必要であった。【０００６】  本発明は、上記のような装飾品の問題点を解消するため、従来の材料を用いることなく、独創的な自由な形状、自由な大きさを構成することができ、軽くて落ちても壊れない装飾品を作るための発明を課題とした。
【課題を解決するための手段】
【０００７】  上記目的を解決するため、本発明は、膨らまさない細長いゴム風船を形成した装飾品を提供することとした。
【発明の効果】
【０００８】  上記手段により、割れることがなく、長時間使用可能で、扱いやすく、傷のつきにくい、コンパクトで保管も容易な装飾品を提供できる。【０００９】  ゴム風船を巻いた際に表現される渦巻模様は、各個人の洋服や着物にマッチする、この世に二つとない独創性と審美性を兼ね備えたお洒落で斬新な装飾品の提供をすることができる。また、渦巻体の組み合わせや装飾品として取り付けるブローチやピアス等に取り付ける附属金具部分を変えることで、デザインと用途の幅が広がり新たな装飾品を提供できる。
【図面の簡単な説明】
【００１０】
【図１】本発明の実施形態におけるブローチの正面図
【図２】同実施形態で使用するゴム風船の外観図
【図３】同実施形態におけるゴム風船渦巻体の形成方法を説明するための図
【図４】同実施形態における第一のブローチの単体図
【図５】同実施形態におけるブローチの背面図
【図６】同実施形態におけるブローチの左側面図
【図７】同実施形態におけるブローチの実物写真
【図８】同実施形態におけるピアスの実物写真
【発明を実施するための形態】
【００１１】  以下、本発明の実施の形態を図１〜図８に基づいて説明する。
【００１２】  図１は、本発明の実施の形態であるゴム風船からなる装飾品を示す。
【００１３】  図１の実施の形態は、図２の膨らまさない細長いゴム風船を、図３の示すように先端からグルグルと渦のように円周方向に重ねて巻いていき、美しい渦状に巻いた状態の渦巻体から形成される。
【００１４】  また、図２の細長いゴム風船のサイズは、例えば一本の幅０．６ｃｍ、長さ３０ｃｍ、幅１．０ｃｍ、長さ１９．０ｃｍを主に使用する。ただし、このサイズ、又、本数の増減に関しての定めはなく、限りなく無数の組み合わせで、図４の渦巻体を形成することができる。
【００１５】  また、図１の実施の形態は、大きい渦巻体１を中心に小さい渦巻体２の周辺と周辺を結合させて一体化した装飾品である。１は、２よりも直径が大きい。
【００１６】  渦巻体１、２は、ゴム風船の色、幅、長さ、本数を使い分けることで、さまざまな形の大きさや形状を、より自由に形成することができる渦模様を演出する本実施の形態の基本の単体である。
【００１７】  渦巻体は、細長いゴム風船の弾性を利用し、適度な張力を利用できることで、くるくると巻いていきやすいのが特徴である。
【００１８】  渦巻体のゴム風船の巻き終わりは、ゴム風船内側の部分に保持手段として、図３ａの示す接着剤を施した箇所で形成される。図４ａもまた、接着剤を施した箇所である。
【００１９】  なお、図４（ａ）（ｂ）は、共に渦巻体を渦状に保持する手段の説明図である。図４（ａ）は、接着剤を保持手段として使用しているが、接着剤に限定されず、例えば、図４（ｂ）に示すように、ゴム風船を渦状に巻いた渦巻体径方向に突き刺すピン５を用いることもできる。
【００２０】  渦巻体複数個の周辺と周辺を結合させて連結させることは、より自由な形状の構成が可能である。図１のｂは、渦巻体１、２のそれぞれの周辺と周辺を結合させて隣接する接着箇所であり、接着剤で接合固定し形成したものである。
なお、渦巻体は、渦巻体一個の単体のみで形成し、完成した装飾品としても構わない。
【００２１】  図５は、本実施の形態の背面図である。装飾品の着脱手段として、３及４を用いる事ができる。図５は、ブローチの装飾金具３と本体裏面に使用される４の本体補強生地で形成されている。１の裏側には、４が取り付けられている。４には、３が取り付けられている。これらの取り付けには、接着剤を使用できる。なお、本体補強生地４については、本体を裏面から補強するためのものであれば、フェルト・繊維布・合成樹脂布・革・布テープなど、特に制限はない。
【００２２】  図６は、本実施の形態におけるブローチの左側面図である。１の大きい渦巻体の周辺に２の小さい渦巻体が構成され、３のブローチの装飾金具と、４の補強生地が装着されているが、この３と４においては、ほかの、例えばピアス金具等の装飾品の金具に変えて構成する事で、様々な装飾品を形成することができる。
【００２３】  本実施の形態は、ピアス（図８）、イヤリング、ピンバッジ、ヘアーゴム、帯留め、髪留めなど、身につける装飾品だけに限らず、日用品のバッグや、置物などのインテリア用品など、多岐にわたり用いることが可能で、今までにない独創性と審美性を兼ね備えた、趣向性に富む製品を提供することができる。図７は、本実施の形態のブローチ写真であり、また、図８はそのうちのピアスを表す。
【００２４】  本実施の形態により、膨らますと大きくなり、割れることもあるゴム風船だが、膨らまさないゴム風船を利用することで、割れることのないコンパクトな装飾品を形成することができ、軽くて扱いやすく、傷のつきにくい、保管も容易な装飾品を提供することができる。
【符号の説明】
【００２５】  １  大きい渦巻体
２  小さい渦巻体
３  ブローチ金具本体
４  本体補強生地
５  ピン
ａ  接着剤を施した箇所
ｂ  渦巻体の隣接する接着箇所
（ａ）接着剤で渦状に保持した渦巻体図
（ｂ）ピンを突き刺し渦状に保持した渦巻体図
【図１】
2017185169.tif 000003
【図２】
2017185169.tif 000004
【図３】
2017185169.tif 000005
【図４】
2017185169.tif 000006
【図５】
2017185169.tif 000007
【図６】
2017185169.tif 000008
【図７】
2017185169.tif 000009
【図８】
2017185169.tif 000010